(57)【要約】【課題】  開いたときに常に平らに位置するページを有する本やアルバムを提供する【解決手段】アコーディオン状の折畳頂部１１、１１´で接続された１対のカバー５，６の前記折畳頂部を、スロット３、４を有するシート１の前記スロットに挿入し、シートの上方に突出する折畳頂部の開口に接続片１２を挿入する。【選択図】図３
2008094099.tif 000002
【特許請求の範囲】
【請求項１】
互いに離れかつ少なくとも１個のフラットな背部片で結合された２枚の前後カバーを有し、当該２枚のカバーの対向する内端間の背部片の部分は折畳んで予め設定された数の同じ高さの折畳頂部を形成でき、予め設定された長さと幅の少なくとも１個の細いスロット状の開口部をその中央折曲部に有するシートを中央で折曲げて４頁のシートが形成され、少なくとも１枚のシートのスロット状開口部から上方に突出する折畳頂部の開口部に、細いウェブ状の接続片が本に対して取り外しできるように挿入されていることを特徴とする本、特にアルバム。
【請求項２】
折畳頂部が、互いに重なった２以上の二重シートのスロット状開口部に挿入可能で、接続片が、クワイアから突出する折畳頂部の開口部に、本のクワイアに取り外し可能に挿入できることを特徴とする請求項１記載の本。
【請求項３】
選択された幅の２以上の互いに平行に配置された背部片が、一緒になって２枚のカバーを相互に連結し、２枚のカバーの対向内端間で前記背部片が同じ折畳れ方で同数の折畳頂部に折畳れ、互いに対向する折畳頂部は互いに同軸的に整列し、二重シートはそれぞれ折曲部に沿った中央に、背部片の数に応じて、同軸的に整列した背部片の折畳頂部を貫通させるための２以上のスロット状開口部を有することを特徴とする請求項１又は２に記載の本。
【請求項４】
背部片が、前後カバーの典型的なエリア又は外側のジャケットと一体的であることを特徴とする請求項１から３までのいずれか１項に記載の本。
【請求項５】
ウェブ状の接続片は、非座屈物質製であることを特徴とする請求項１記載の本。
【請求項６】
接続片が、金属又はプラスチック又は非座屈性ボール紙製のストリップから成ることを特徴とする請求項５記載の本。
【請求項７】
接続片が、少なくとも一方端で、丸い角部を有することを特徴とする請求項５又は６記載の本。
【請求項８】
１対以上のカバーが、本の前後カバーに形成され、それぞれの場合に、カバー対ごとに接続された背部片は同じ又は異なった数の折畳頂部と、長手方向のスロットを有する所定数の二重シートを有し、接続片は手で結合され、選択された数のシートをセットの個々のルースな部分として本を製作することを特徴とする請求項１から７までのいずれか１項に記載の本。
【請求項９】
カバーの各対が、ルースな前後カバー、及び内部の２枚のカバー又は外部に固定されかつ紙又は折曲げられるボール紙製のジャケットに保持されたルースな典型的なエリアとともに組み立てることができ、これらは背部片及び折畳頂部と一部材として構成され、前記折畳頂部の数は各カバー対で異なるように選択できることを特徴とする請求項８に記載の本。
【発明の詳細な説明】
【技術分野】
【０００１】
本発明は、所定数のページを含む本、特にアルバムに関する。
【背景技術】
【０００２】
従来の本やアルバムは、接着剤で結合され、縫い合わされ、あるいは本のブロックが製本用ネジや締付具で保持されている。後者の場合の２つの変形例では、ページを交換できる。全ての交換可能な変形例では、本やアルバムを開いたときに、平らに位置しないという問題点を有している。
【発明の開示】
【発明が解決しようとする課題】
【０００３】
本発明の目的は、交換可能で、開いたときに常に平らに位置するページやクワイアを有する本やアルバムを提供することである。
【課題を解決するための手段】
【０００４】
この目的は、互いに離れかつ少なくとも１個のフラットな背部片で結合された２枚の前後カバーを有し、当該２枚のカバーの対向する内端間の背部片の部分は折畳んで予め設定された数の同じ高さの折畳頂部を形成でき、予め設定された長さと幅の少なくとも１個の細いスロット状の開口部をその中央折曲部に有するシートを中央で折曲げて４頁のシートが形成され、少なくとも１枚のシートのスロット状開口部から上方に突出する折畳頂部の前記開口部に、細いウェブ状の接続片が本に対して取り外しできるように挿入されることにより達成される。
【０００５】
これに関し、折畳頂部が、互いに重なった２以上の二重シートのスロット状開口部に挿入可能で、接続片が、クワイアから突出する折畳頂部の開口部に、本のクワイアに取り外し可能に挿入できることが有利である。
【０００６】
選択された幅の２以上の互いに平行に配置された背部片が、一緒になって２枚のカバーを相互に連結し、２枚のカバーの対向内端間で前記背部片が同じ折畳れ方で同数の折畳頂部に折畳れ、互いに対向する折畳頂部は互いに同軸的に整列し、二重シートはそれぞれ折曲部に沿った中央に、背部片の数に応じて、同軸的に整列した背部片の折畳頂部を寒中させるための２以上のスロット状開口部を有することも有利である。
【０００７】
この場合の背部片は、前後カバーの内側に固定される典型的なエリアと一体になっていても、２枚のカバーの外側に固定されたジャケットと一体になっていても良い。
【０００８】
ウェブ状の接続片は、例えば金属又はプラスチック又は堅いボール紙のような非座屈性物質であること、及び少なくとも一方端で、丸い角部を有し、挿入を容易にすることが望ましい。
【０００９】
本発明の有利な態様は、１対以上のカバーが、本の前後カバーから形成され、それぞれの場合に、カバー対ごとの接続された背部片は同じ又は異なった数の折畳頂部と、長手方向のスロットを有する所定数の二重シートを有し、接続片は手動で結合され、選択された数のシートをセットの個々のルースな部分として本を製作することである。
【００１０】
この場合、カバーの各対は、ルースな前後カバー、及び内部の２枚のカバー又は外部に固定されかつ紙又は折曲げられるボール紙製のジャケットに保持されたルースな典型的なエリアとともに組み立てることができ、これらは背部片及び折畳頂部と一部材として構成され、前記折畳頂部の数は各カバー対で異なるように選択できる。
【００１１】
前後カバー間の背部片を構成する１以上の部材の中央部を折畳み又はアコーディオン状に折畳むことにより形成されるジグザグ状の折畳頂部は、比較的強度のあるボール紙で製造でき、いずれの場合も、内部の２枚のカバーや外側のジャケットに堅く結合させることができ、あるいは２種類の典型的なエリア又はジャケットと一体化できる。
【００１２】
しかし本発明では、カバーに堅さを与えるため、背部片を、溝（折曲部）に沿って形成できるボール紙製のシートでダブルサイズに形成された２枚のカバーと一体化しても良い。折曲げられたカバーは、接着剤なしで結合させることができ、従って本発明の本又はアルバムは専門家でなくても接着剤なしに組み立てあるいは再度元に戻すことができる。この場合、そのプロセスにおいて、個々のシートやクワイアを、アルバムを損傷させることなく、アルバムから除去しあるいは交換できることが特に有利である。この目的のためには、それぞれのウェブ状の接続片を、関連する折畳頂部から単に引き抜くだけで良い。この目的のため、折畳頂部と関連する接続片は、当該接着片が、シート又はクワイアのスロット状開口部から突出する折畳頂部に挿入可能に構成され、接続片が自発的に開口部から滑り出さないように抵抗値を予め設定する。
【００１３】
本発明は、本又はアルバムに特に趣味の良いデザインを与える可能性を提供できる。つまりアコーディオン状に折畳まれた２以上の背部片が存在し、これらの背部片の色彩が、互いに離れている背部片間で、及びカバーの上下の外縁部で目視されるウェブ状の接続片の色彩と異なっていると、前述のデザインが提供される。
【発明を実施するための最良の形態】
【００１４】
本発明の態様の概略を、添付図面に基づいて例示する。
【００１５】
図１で符号１で示されているのは、本発明による本又はアルバムの四辺形状のシートで、このシートは中央に溝あるいは折曲部２を有し、この折曲部２には、同じ形状で、所定の長さ及び幅を有する２個の中央スロット３及び４が形成されている。このシート１は例えば薄く堅いボール紙から成り、前記溝あるいは折曲部２に沿って折曲げ可能で、本発明の本又はアルバムの４面を構成する。
【００１６】
図２は、十分な強度を有する前後のカバー５及び６の、背部に近い部分を示す。２枚のカバー５及び６は、平行に配置された２個の背部片７及び８により予め設定された間隔で互いに堅く接続されている。内部の互いに対向する端部９及び１０間には、背部片がジグザグ状にアコーディオンのように折畳まれている。換言すると、背部片７及び８はそれぞれ、内部カバー端９及び１０間に折畳まれ、等高の折畳頂部を形成し、２個の背部片の一方が符号１１で示されている。背部片７及び８のそれぞれ２個の折畳頂部は互いに長手方向に位置している。
【００１７】
折畳頂部の数、長さ及び高さは、２個のそれぞれ配置された折畳頂部がシートの２個のスロット３及び４を貫通できるように、選択される。
【００１８】
図３はシート１中央の拡大図で、２個の折畳頂部１１、１１´が２個のスロット３及び４から突出している。細いウェブ状の接続片１２が、シート１上で、折畳頂部１１´の狭い開口を通り、部分的に挿入されている。
【００１９】
中央にスロットを有するシート１を２個の背部片７及び８に固定するために、前記接続片１２は第２の折畳頂部１１の狭い開口部にも押し入れられる。この場合、堅いボール紙、プラスチック又は金属などで作られた細いウェブ状の接続片１２は、完全に挿入された状態で、その先端及び後端が、カバーの平行な外縁部の領域に位置するような長さを有している。これらの端部は少なくとも一方を丸くして、ウェブ状の接続片１２の挿入を容易にすることができる。
【００２０】
一例として、本発明の本又はアルバムは、８枚の４辺形状のシート１を有し、これらのシートのそれぞれは、背部片７及び８の２個の整列した折畳頂部に、ウェブ状の接続片１２を使用して取り外しできるように保持される。この目的のため、２対の折畳頂部はそれぞれ、シートのスロット３及び４を通って突出し、前記ウェブ状の接続片１２は、シートから突出する折畳頂部の開口を通るように挿入される。
【００２１】
図２の例では、背部片は２枚のカバーと一体になっている。
【００２２】
しかし図２では、部分５及び６は２枚のカバーの内側にそれぞれ固定される典型的なエリアとすることもできる。
【００２３】
背部片７及び８は、その端部において、典型的なエリアつまりカバーに堅く接続、例えば結合するための部分を有することができる。
【００２４】
図示の態様は、本発明の組み立て可能な本又はアルバムの個々のパーツを例示するもので、当業者は、本発明の基本的な思想を逸脱することなく、直接修正した本やアルバムを想到するであろう。
【図面の簡単な説明】
【００２５】
【図１】本発明による本又はアルバムの四辺形状のシートの平面図。
【図２】アコーディオン状の背部片に接続された前後カバーの部分を上斜めから見た斜視図。
【図３】図１のシートの中央部の拡大図で、２個の折畳まれた背部片が２個のスロットを貫通し、接続片は前記折畳まれた背部片のスロットに部分的に挿入された位置に存在する。
【符号の説明】
【００２６】
１    シート
２    折曲部
３、４    スロット
５、６    カバー
７、８    背部片
９、１０    対向端
１１、１１´    折畳頂部
１２    接続片
【図１】
2008094099.tif 000003
【図２】
2008094099.tif 000004
【図３】
2008094099.tif 000005
【外国語明細書】
2008094099000001.pdf